(57)【要約】【課題】使用者によるスタート時の操作音や食器洗い機や他の機器での音の報知や動作音によって妨げられずに、食器洗い機の運転をスタートすることを音声によって分かりやすく報知できる食器洗い機を提供する。【解決手段】食器洗い機の運転をスタートさせるスタートスイッチ１６と、食器洗い機の運転スタートを報知する音声報知手段３１ａとを有し、前記スタートスイッチ１６からの入力をされると、所定時間経過後に音声報知手段３１ａによる音声での報知をする制御手段３４を備えたことにより、上記の目的を達成する。【選択図】図１
2007282763.tif 000002
【特許請求の範囲】
【請求項１】
食器洗い機の運転をスタートさせるスタート入力手段と、食器洗い機の運転スタートを報知する報知手段とを有し、前記スタート入力手段からの入力がなされると、所定時間経過後に前記報知手段による音声での報知をする制御手段を備えたことを特徴とする食器洗い機。
【請求項２】
制御手段は、所定時間を報知する音声の内容に応じて変更する請求項１に記載の食器洗い機。
【請求項３】
食器洗い機の運転をスタートさせるスタート入力手段と、食器洗い機の運転スタートを報知する報知手段と、前記報知手段によって報知される音声データとを有し、前記音声データは、先頭部に無音部分を有するとともに、前記スタート入力手段からの入力をされると、直ちに前記報知手段を介して前記音声データの報知を行う制御手段を備えたことを特徴とする食器洗い機。
【請求項４】
音声データの無音部分の長さを、報知する音声の内容に応じて異ならせた請求項３に記載の食器洗い機。
【発明の詳細な説明】
【技術分野】
【０００１】
本発明は、食器の洗浄を行う食器洗い機に関し、さらに詳しくは運転スタートを音声で報知するようにした食器洗い機に関するものである。
【背景技術】
【０００２】
この種の食器洗い機は図４に例示するような構成のものが既に知られている（例えば、特許文献１参照）。このものは、洗浄槽を内蔵した本体ａの前面の開口に例えば上下に開くドアｂ、ｃを有している。ドアｂ、ｃは下側のドアｂに備えたハンドルｄの操作で互いに連動して開閉される。ドアｂ、ｃにより開口を閉じることで洗浄槽を密閉し、洗浄液をポンプによって供給される各所のノズルが種々な向きで洗浄水を噴射して洗浄する際の水漏れを防止する。このため、ドアｂ、ｃに閉じ異常があると水漏れを防止できない。そこで、特許文献１はドアｂ、ｃの開閉を下側のドアｂの左右２箇所に対して開閉を検知する検知スイッチｅ、ｆを設けてドア開閉を検知し、ドア閉じ状態に異常があると報知する技術を開示している。特許文献１には報知手段が圧電ブザーであり、これに代るスピーカや発光ダイオードでもよい旨、および１つの検知スイッチにより異常を検知する場合よりも対応が確実である旨、の記載がある。
【特許文献１】特開２０００−３２５２８９号公報
【発明の開示】
【発明が解決しようとする課題】
【０００３】
しかし、特許文献１に記載された圧電ブザー、スピーカによる単なる音報知を行う場合、使用者によるスタート時の操作音によって、または、食器洗い機や他の機器での音の報知や動作音など環境によって、聞き取りにくかったりすることがある。
【０００４】
そこで、本発明者は、食器洗い機の運転をスタートする入力をされると、所定時間経過後に音声での報知をするようにすることに思い至った。
【０００５】
本発明の目的は、使用者によるスタート時の操作音や食器洗い機や他の機器での音の報知や動作音によって妨げられずに、食器洗い機の運転をスタートすることを音声によって分かりやすく報知できる食器洗い機を提供することにある。
【課題を解決するための手段】
【０００６】
上記のような目的を達成するために、本発明の食器洗い機は、食器洗い機の運転をスタートさせるスタート入力手段と、食器洗い機の運転スタートを報知する報知手段とを有し、前記スタート入力手段からの入力がなされると、所定時間経過後に前記報知手段による音声での報知をする制御手段を備えたことを特徴としている。
【０００７】
このような構成では、食器洗い機における食器洗浄の予備作業を終了すると使用者はスタート入力手段を操作して運転をスタートさせることになるが、スタート入力手段を操作してから所定時間経過後に音声での報知を行うので、このスタート時の操作音や機器の動作音によって妨げられずに、音声での報知を使用者に明確に伝えることができる。
【０００８】
制御手段は、所定時間を報知する音声の内容に応じて変更する構成では、スタート入力手段を操作してから報知する音声の内容に応じた所定時間経過後に音声での報知を行うので、スタート時の操作音や機器の動作音によって妨げられずに、また、報知する音声の内容によって聞き取りにくい場合に、音声での報知を使用者にさらに明確に伝えることができる。
【０００９】
食器洗い機の運転をスタートさせるスタート入力手段と、食器洗い機の運転スタートを報知する報知手段と、前記報知手段によって報知される音声データとを有し、前記音声データは、先頭部に無音部分を有するとともに、前記スタート入力手段からの入力をされると、直ちに前記報知手段を介して前記音声データの報知を行う制御手段を備えたことを特徴としている。
【００１０】
このような構成では、スタート入力手段を操作してから、直ちに報知手段を介して音声データの報知を行っても、音声データの先頭部に無音部分があるため、所定時間経過後に音声での報知を行うのと同様に、スタート時の操作音や機器の動作音によって妨げられずに、音声での報知を使用者に明確に伝えることができる。
【００１１】
音声データの無音部分の長さを、報知する音声の内容に応じて異ならせた構成では、スタート入力手段を操作してから報知する音声の内容に応じた所定時間経過後に音声での報知を行うのと同様に、スタート時の操作音や機器の動作音によって妨げられずに、また、報知する音声の内容によって聞き取りにくい場合に、音声での報知を使用者にさらに明確に伝えることができる。
【発明の効果】
【００１２】
本発明の食器洗い機によれば、スタート入力手段を操作してから所定時間経過後に音声での報知を行うので、このスタート時の操作音や機器の動作音によって妨げられずに、音声での報知を明確に聞くことができる。
【００１３】
スタート入力手段を操作してから報知する音声の内容に応じた所定時間経過後に音声での報知を行うので、スタート時の操作音や機器の動作音によって妨げられずに、また、報知する音声の内容によって聞き取りにくい場合に、音声での報知をさらに明確に聞くことができる。
【００１４】
スタート入力手段を操作してから、直ちに報知手段を介して音声データの報知を行っても、音声データの先頭部に無音部分があるため、所定時間経過後に音声での報知を行うのと同様に、スタート時の操作音や機器の動作音によって妨げられずに、音声での報知を明確に聞くことができる。
【発明を実施するための最良の形態】
【００１５】
以下、本発明の実施の形態に係る食器洗い機について図１〜図５を参照しながら説明し、本発明の理解に供する。なお、以下の説明は本発明の具体例であって特許請求の範囲の記載内容を限定するものではない。
【００１６】
（実施の形態１）
本実施の形態の食器洗い機は既述したような基本構成を有し、図１に示す本体１に食器類を収容して洗浄を行う洗浄槽２を内部に有し、前面には食器類を洗浄槽２に出し入れするためのドア１ａを有した開口１ｂが設けられている。ドア１ａは閉じると開口１ｂまわりに設けた係合部にフック片が弾性係合することで閉じ状態にロックされるようになっており、ハンドルを操作して開くときはそのロックが自動的に解除されるようになっている。洗浄槽２は給水弁３から洗浄水を供給されて底部に溜める。洗浄槽２の底部に溜めている洗浄水は洗浄ポンプ４によって洗浄槽２内に設けられている図示しない洗浄ノズルに供給し、洗浄ノズルから洗浄槽２に収容している食器類に向けて噴出する。洗浄槽２の底部には水位検知手段１０があり洗浄槽２内の水位を検知し、電気信号として出力する。一方、洗浄槽２の底部にはヒータ５が配設され、洗浄水を加熱し洗浄水による洗浄効果を高める。これに併せ、洗浄槽２の底部に外側より密着するように取り付けた図示しないサーミスタなどの温度検知手段９を設けて、洗浄水の水温や洗浄槽２の温度を熱伝導により検知し、それらの温度制御に供する。また、洗浄槽２の底部内の洗浄水を排出する排水ポンプ６や、洗浄槽２内の蒸気を排気口から本体１外へ送り出し洗浄後の食器を乾燥させる送風ファン７も洗浄槽２のまわりに設けてある。開口１ｂまわりの本体１内にはドア１ａの開閉を検知するドア開閉検知手段８が設けられている。本体１はまた、給水弁３、洗浄ポンプ４、ヒータ５、排水ポンプ６、送風ファン７などを負荷制御手段１１を介して駆動し、洗い、すすぎ、乾燥の各行程を逐次制御する制御装置１２を内蔵している。
【００１７】
このような制御のために、本体１の前面にはドア１ａの下などに図２に示すような操作パネル１３が設けられている。操作パネル１３には電源を「入り」「切り」する電源入りスイッチ１４、電源切りスイッチ１５、運転開始および一時停止を行うスタート入力手段としてのスタートスイッチ１６、コースを設定するコーススイッチ１７、乾燥の時間を設定する乾燥スイッチ１８などを設けた入力手段２１と、それらの操作に応じた表示をＬＥＤなどによって行う操作表示手段２２とが設けられている。
【００１８】
制御装置１２は、マイクロコンピュータ等で構成し、入力手段２１により設定された入力と、ドア開閉検知手段８、温度検知手段９、水位検知手段１０からの入力情報とに応じて、負荷制御手段１１を介し給水弁３、洗浄ポンプ４、ヒータ５、排水ポンプ６、送風ファン７などの負荷と、ＬＥＤなどの操作表示手段２２と、報知手段３１を予め定められたシーケンスに沿って制御する。報知手段３１は通常、ドア開閉検知手段８からのドア開閉情報により検知する閉じ異常、水位検知手段１０からの水位情報により検知する給水異常や排水異常、運転終了などに際して動作させる。これらのために、異常を判定し検知する異常検知手段３２を制御装置１２の内部機能として備えている。なお、負荷制御手段１１や制御装置１２は電源回路１３３にて生成された電源が供給される。
【００１９】
ここで、以上のような食器洗い機の一連の動作について、その概略を説明する。使用者が食器類を食器かごに配置して洗浄槽２に収納し、洗剤を入れ、ドア１ａを閉めた後に電源入りスイッチ１４とスタートスイッチ１６との操作で運転を開始すると、まず洗浄槽２の底部に水位検知手段１０が所定の水位を検知するまで給水弁３から水道水が給水される。そして、洗浄ポンプ４およびヒータ５に通電され、洗浄水は加熱されながら洗浄ポンプ４により食器類に向けて洗浄ノズルから噴出される。
【００２０】
このとき、温度検知手段９により洗浄水の温度を検知し、制御装置１２は常に洗浄水の温度を把握している。洗浄水の温度が所定の温度に到達したとき、あるいは、洗浄開始から所定時間経過したとき、制御装置１２は洗浄行程を終了し、排水ポンプ６に通電して、一旦洗浄水を排水する。
【００２１】
つぎに、新たに水道水が給水され、前述の洗浄行程と同様の動作を数分間行い排水する。このすすぎ行程を数回くり返した後、加熱すすぎ行程と称する洗浄行程と同様の動作を行い、所定温度に到達したとき、あるいは、所定時間経過したとき、これを終了として排水する。最後に送風ファン７を運転して洗浄槽２内の蒸気を機外へ排出すると同時に、ヒータ５に通電を行い食器類を加熱して、付着している水滴を乾燥させる。
【００２２】
このような構成において、異常検知手段３２による異常検知や運転スタート、運転終了に際して報知手段３１を動作させて使用者に報知するのに、従来、単純なブザー音やＬＥＤによっていたのに代って、本実施の形態では、図１に示すように報知手段３１として、音声報知手段３１ａ、メロディ報知手段３１ｂ、ブザー報知手段３１ｃを設けて、「音声」「メロディ」「ブザー」による報知ができるようにするのに併せ、これら報知につき「音声」「メロディ」「ブザー」もしくは「切り」の切り換えを行わせる報知の切り換え手段３３を入力手段２１として設けて、例えば１つのスイッチによるロータリ方式での切り換え状態を操作表示手段２２に設けたＬＥＤ３３ａ〜３３ｄが順次に繰り返し点灯することによって確認できるようにしながら、異常検知手段３２による異常検知時や運転スタート時、運転終了時に制御装置１２の内部機能を利用した制御手段３４により報知の切り換えに応じた報知を行うようにしている。なお、音声報知手段３１ａ、メロディ報知手段３１ｂは共通の出力機器とすることができるし、場合によってはブザー報知手段３１ｃをも共通の出力機器とすることもできる。しかし、ブザー報知手段３１ｃは圧電ブザーといった簡単なものを採用するとコストがほとんど掛からず駆動制御が簡単になる利点がある。
【００２３】
このような報知制御では、異常検知時や運転スタート時、運転終了時に制御手段３４により報知手段３１を動作させて離れた使用者にも告知しやすい音での報知を行うのに、報知が切り換え手段３３による「音声」「メロディ」「ブザー」もしくは「切り」の切り換えに従って行われるので、使用者は報知の内容が分かりやすい「音声」「メロディ」の順に選択するように切り換えて、慣れや他の機器など使用環境との関係などから報知状態の単純化を図っていき、場合によっては最も単純な「ブザー」を選択する切り換えを行い、報知を行わない「切り」を選択する切り換えも含め、使用者は４種類の報知状態が設定できるようになる。この結果、異常検知や運転スタート、動作終了に関した離れた使用者にも告知しやすい音での報知を、報知の内容が分かりやすい「音声」「メロディ」「ブザー」「切り」の順に単純化し、また報知の省略を図る使用者の選択に基づき実行して使用しやすく的確で素早い対応ができるようにしながら、過剰な報知による不満や他の機器への影響を与えにくい食器洗い機を提供することができる。
【００２４】
また、本実施の形態では、制御手段３４によって「音声」「メロディ」「ブザー」での報知を行うときの音量を変更する音量変更手段３５を入力手段２１として設け、例えば１つのスイッチによる「小」「中」「大」「切り」といったロータリ方式での切り換え状態を操作表示手段２２として設けたＬＥＤ３５ａ〜３５ｃが順次に繰り返し点灯することによって確認できるようにしながら、切り換え操作できるようにしている。これにより、使用者は自身の希望や環境との関係から、音量変更手段３５によって報知モードの種類の違いにかかわらず、それらの音量を「小」「中」「大」「切り」などと順次に変更することができる。
【００２５】
この場合、「メロディ」「ブザー」の音量は「一定音量」のみとし、音量変更手段３５は「音声」の音量のみを変更するようにもできる。このようにすると、使用者や環境に影響しにくい「メロディ」「ブザー」での報知モードで一定音量、例えば離れた使用者にも告知しやすくまた使用者や環境に影響しない適度な一定音量としながら、使用者や環境に影響しやすい「音声」での報知モードでは音量変更手段３５により音量を変更することができるようになる。
【００２６】
また、報知の「切り」への切り換え状態では、異常検知手段３２により異常が検知されると制御手段３４は報知手段３１を動作させるようにすることができる。これにより、報知が「切り」に切り替えられているときでも、異常が検知されると報知手段３１を動作させて報知を行うので、異常についての報知が行われなくなるのを回避することができる。
【００２７】
次に、制御装置１２による図３に示す具体的な報知の制御例につき説明すると、ステップＳ１で報知要求が確認されると、ステップＳ２にて報知の切り換え状態を判定する。次いでステップＳ３で異常の判定をし、ドア閉じ異常、給水異常、排水異常などの異常の報知であるときは、ステップＳ２で判定した切り替えられたモードに応じた異常などの報知を行う。
【００２８】
具体的には、異常が、ドア閉じ異常であると、ステップＳ４にてドア閉じ異常に関連した報知切り換えに対応した報知データを読み込み、ステップＳ８にて報知の切り換えに対応した報知手段３１をステップＳ４で読み込んだ報知データにて駆動し、ドア閉じ異常であることの報知を行う。
【００２９】
異常が、給水異常であると、ステップＳ５にて給水異常に関連し、報知切り換えに対応した報知データを読み込み、ステップＳ８にて報知の切り換えに対応した報知手段３１をステップＳ４で読み込んだ報知データにて駆動し、給水異常であることの報知を行う。
【００３０】
異常が、排水異常であると、ステップＳ６にて排水異常に関連し、報知切り換えに対応した報知データを読み込み、ステップＳ８にて報知の切り換えに対応した報知手段３１をステップＳ６で読み込んだ報知データにて駆動して排水異常であることの報知を行う。
【００３１】
ステップＳ３にて異常でない場合は運転の終了であるので、ステップＳ７にて運転終了に関連し、報知切り換えに対応した報知データを読み込み、ステップＳ８にて報知の切り換えに対応した報知手段３１にてステップＳ７で読み込んだ報知データにより駆動して運転が終了したことの報知を行う。
【００３２】
一方、ステップＳ２での報知の切り換えが切りであれば、ステップＳ３〜ステップＳ８の報知は行わず、ステップＳ９にて運転終了を確認してからブザー報知手段３１ｃによりステップＳ３〜ステップＳ８を経た場合に比し単純な報知を行う。
【００３３】
さらに、本実施の形態では、図４に示すように、食器洗い機における食器洗浄の予備作業を終了すると使用者はコーススイッチ１７を操作して運転コースを選択し、スタートスイッチ１６を操作して運転をスタートさせることになるが、このスタートスイッチ１６の入力により制御手段３４が所定時間経過後（例えば、１秒後）に音声報知手段３１ａにより「・・コースで運転を開始します」などの運転コースに応じ音声での報知をする。これにより、スタート時の操作音や機器の動作音によって妨げられずに、音声での報知を明確に聞くことができる。
【００３４】
また、スタート時に制御手段３４が音声報知手段３１ａにより選択された運転コースに応じ音声での報知を終了した後に、報知内容に応じた所定時間経過後に負荷を駆動する。これにより、負荷の動作音によって聞き取りにくいなどの影響を受けずに、音声での報知を明確に聞くことができる。
【００３５】
また、スタートスイッチ１６の入力により制御手段３４が報知する音声の内容に応じた所定時間経過後に音声報知手段３１ａにより音声での報知をする。例えば、「高温コースで運転を開始します」のように報知する音声の内容の最初の音が「カ行」「ダ行」などの破裂音ではじまる場合、経過時間を０．８秒後にする。また、「スピーディーコースで運転を開始します」のように報知する音声の内容の最初の音が「サ行」など摩擦音ではじまる場合、経過時間を１．１秒後にする。その他の音の場合は、通常の経過時間として、１秒後にする。
【００３６】
これにより、スタート時の操作音や機器の動作音によって妨げられずに、音声での報知をさらに明確に聞くことができる。
【００３７】
（実施の形態２）
本実施の形態では、図５に示すように、報知する音声データの先頭部に無音部分を設けた。他の構成は実施の形態１と同じである。これにより、スタートスイッチ１６の入力により制御手段３４が直ちに音声報知手段３１ａにより音声による報知を行っても、スタート時の操作音や機器の動作音によって妨げられずに、音声での報知を明確に聞くことができる。
【００３８】
また、報知する音声データの先頭部の無音部分の長さを、報知する音声の内容に応じて異ならせている。例えば、「低温コースで運転を開始します」のように報知する音声の内容の最初の音が「カ行」「ダ行」などの破裂音ではじまる場合、無音部分の長さを０．９秒にする。また、「少量コースで運転を開始します」のように報知する音声の内容の最初の音が「サ行」など摩擦音ではじまる場合、無音部分の長さを１．２秒にする。その他の音の場合は、通常１秒にする。
【００３９】
これにより、スタートスイッチ１６の入力により制御手段３４が直ちに音声報知手段３１ａにより音声による報知を行っても、スタート時の操作音や機器の動作音によって妨げられずに、音声での報知をさらに明確に聞くことができる。
【産業上の利用可能性】
【００４０】
本発明は食器洗い機における音声報知を分かりやすくすることができるので、主婦等が使用する家庭用の食器洗い機等として有用なものである。
【図面の簡単な説明】
【００４１】
【図１】本発明に係る実施形態の食器洗い機の概略を示すブロック構成図
【図２】同食器洗い機の操作パネルの模式図
【図３】同食器洗い機での制御装置による報知処理の具体例を示すフローチャート
【図４】同食器洗い機での制御装置による報知処理の具体例を示すタイミングチャート
【図５】同食器洗い機での報知する音声データのデータ構成図
【図６】従来の食器洗い機を示す斜視図
【符号の説明】
【００４２】
１      本体
１ａ    ドア
１ｂ    開口
２      洗浄槽
３      給水弁
４      洗浄ポンプ
５      ヒータ
６      排水ポンプ
７      送風ファン
８、８ａ、８ｂ  ドア開閉検知手段
９      温度検知手段
１０    水位検知手段
１１    負荷制御手段
１２    制御装置
１３    操作パネル
１６    スタートスイッチ（スタート入力手段）
１７    コーススイッチ
２１    入力手段
２２    操作表示手段
３１    報知手段
３１ａ  音声報知手段（報知手段）
３１ｂ  メロディ報知手段
３１ｃ  ブザー報知手段
３４    制御手段
【図１】
2007282763.tif 000003
【図２】
2007282763.tif 000004
【図３】
2007282763.tif 000005
【図４】
2007282763.tif 000006
【図５】
2007282763.tif 000007
【図６】
2007282763.tif 000008